【事件の表示】
　特許第３１５６５９８号「水浄化装置」の請求項１ないし６、１１に係る特許に対する特許異議の申立てについて、次のとおり決定する。
【結　論】
　訂正を認める。
　本件特許異議の申立てを却下する。
【理　由】
１．訂正の適否
１−１．訂正の内容
　本件訂正請求書における訂正の内容は、本件特許明細書を訂正請求書に添付した訂正明細書のとおりに訂正しようとするものである。すなわち、
訂正事項ａ：特許請求の範囲の請求項１及び請求項２を削除する。
訂正事項ｂ−１：特許請求の範囲の請求項７に「【請求項７】濾過手段の上流側に被浄化水に含まれる懸濁物質を凝集させる凝集手段を設けた請求項１ないし６のいずれか１項記載の水浄化装置。」とあるのを「【請求項１】被浄化水を循環させる循環手段と、往き管と戻り管からなる循環路と、被浄化水に含まれる懸濁物質を浄化する濾過手段と、濾過手段の上流側に設けられた被浄化水に含まれる懸濁物質を凝集させる凝集手段と、前記濾過手段と循環路に高温水を循環させる高温洗浄手段を有し、前記高温洗浄手段は被浄化水の水温を制御する加熱手段と、濾過手段の下流に流路切換手段を介して前記往き管と戻り管を連通可能に設けたバイパス路と、制御手段からなり、前記流路切換手段と加熱手段の制御によって前記濾過手段を含む閉ループ循環回路を形成し、高温水を循環可能に構成した水浄化装置。【請求項２】給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、濾過手段の上流側に設けられた被浄化水に含まれる懸濁物質を凝集させる凝集手段と、前記濾過手段と循環路に高温水を循環させる高温洗浄手段を有し、前記高温洗浄手段は濾過手段の下流に流路切換手段を介して前記往き管と戻り管を連通可能に設けたバイパス路を備え、前記流路切換手段と給湯手段の制御によって前記濾過手段を含む閉ループ循環回路を形成し、高温水を循環可能に構成した水浄化装置。」と訂正する。
訂正事項ｂ−２：明細書の段落【０００９】に「【課題を解決するための手段】本発明は上記課題を解決するために、被浄化水を循環させる循環手段と、往き管と戻り管からなる循環路と、被浄化水に含まれる懸濁物質を浄化する濾過手段と、前記濾過手段を含む循環路に高温水を循環させる高温洗浄手段を設けたものである。」とあるのを「【課題を解決するための手段】本発明は上記課題を解決するために、被浄化水を循環させる循環手段と、往き管と戻り管からなる循環路と、被浄化水に含まれる懸濁物質を浄化する濾過手段と、濾過手段の上流側に設けられた被浄化水に含まれる懸濁物質を凝集させる凝集手段と、前記濾過手段を含む循環路に高温水を循環させる高温洗浄手段を設けたものである。」と訂正する。
訂正事項ｂ−３：明細書の段落【００１１】に「【発明の実施の形態】本発明の請求項１に係る水浄化装置は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を設けたものである。」とあるのを「【発明の実施の形態】本発明の請求項１に係る水浄化装置は、被浄化水を循環させる循環手段と、往き管と戻り管からなる循環路と、被浄化水に含まれる懸濁物質を浄化する濾過手段と、濾過手段の上流側に設けられた被浄化水に含まれる懸濁物質を凝集させる凝集手段と、前記濾過手段と循環路に高温水を循環させる高温洗浄手段を設けたものである。」と訂正する。
訂正事項ｂ−４：明細書の段落【００１３】に「また請求項２に係る水浄化装置は、給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を設けたものである。」とあるのを「また請求項２に係る水浄化装置は、給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、濾過手段の上流側に設けられた被浄化水に含まれる懸濁物質を凝集させる凝集手段と、前記濾過手段と循環路に高温水を循環させる高温洗浄手段を設けたものである。」と訂正する。
訂正事項ｃ：特許請求の範囲の請求項９に「【請求項９】濾過手段の内部に、粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成した請求項１ないし８のいずれか１項記載の水浄化装置。」とあるのを「【請求項３】被浄化水を循環させる循環手段と、往き管と戻り管からなる循環路と、被浄化水に含まれる懸濁物質を浄化する濾過手段と、前記濾過手段と循環路に高温水を循環させる高温洗浄手段とを有し、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成し、かつ前記高温洗浄手段は被浄化水の水温を制御する加熱手段と、濾過手段の下流に流路切換手段を介して前記往き管と戻り管を連通可能に設けたバイパス路と、制御手段からなり、前記流路切換手段と加熱手段の制御によって前記濾過手段を含む閉ループ循環回路を形成し、高温水を循環可能に構成した水浄化装置。【請求項４】給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を有し、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成し、かつ前記高温洗浄手段は濾過手段の下流に流路切換手段を介して前記往き管と戻り管を連通可能に設けたバイパス路を備え、前記流路切換手段と給湯手段の制御によって前記濾過手段を含む閉ループ循環回路を形成し、高温水を循環可能に構成した水浄化装置。」と訂正する。
訂正事項ｄ：特許請求の範囲の請求項３に「【請求項３】高温洗浄手段は、被浄化水の水温を検出する温度検知手段を有し、前記温度検知手段の信号により被浄化水の水温を制御する構成とした請求項１または２記載の水浄化装置。」とあるのを「【請求項５】高温洗浄手段は、被浄化水の水温を検出する温度検知手段を有し、前記温度検知手段の信号により被浄化水の水温を制御する構成とした請求項１〜４いずれか１項に記載の水浄化装置。」と訂正する。
訂正事項ｅ：特許請求の範囲の請求項４に「【請求項４】制御手段に閉ループ循環回路へ高温水を循環させる時間を設定するタイマーを設けた請求項２または３記載の水浄化装置。」とあるのを「【請求項６】制御手段に閉ループ循環回路へ高温水を循環させる時間を設定するタイマーを設けた請求項３〜５いずれか１項に記載の水浄化装置。」と訂正する。
訂正事項ｆ：特許請求の範囲の請求項５に「【請求項５】高温洗浄手段によって循環路に循環させる高温水の温度を６０℃以上とした請求項１ないし４のいずれか１項記載の水浄化装置。」とあるのを「【請求項７】高温洗浄手段によって循環路に循環させる高温水の温度を６０℃以上とした請求項１〜６いずれか１項に記載の水浄化装置。」と訂正する。
訂正事項ｇ：特許請求の範囲の請求項６に「【請求項６】高温洗浄手段によって循環路に循環させる高温水を濾過手段の逆流洗浄に利用するとともに、前記高温水を外部に廃棄する排水路を設けた請求項１ないし５のいずれか１項記載の水浄化装置。」とあるのを「【請求項８】高温洗浄手段によって循環路に循環させる高温水を濾過手段の逆流洗浄に利用するとともに、前記高温水を外部に廃棄する排水路を設けた請求項１〜７のいずれか１項に記載の水浄化装置。」と訂正する。
訂正事項ｈ：特許請求の範囲の請求項８に「【請求項８】凝集手段は、アルミニウムからなる陽極と、前記陽極に対向して設けたステンレスからなる陰極と、前記陽極と陰極間に電圧を印可する低電流電源とから構成した請求項７記載の水浄化装置。」とあるのを「【請求項９】凝集手段は、アルミニウムからなる陽極と、前記陽極に対向して設けたステンレスからなる陰極と、前記陽極と陰極間に電圧を印可する低電流電源とから構成した請求項１〜８いずれか１項に記載の水浄化装置。」と訂正する。
訂正事項ｉ：特許請求の範囲の請求項１０に「請求項９記載の」とあるのを「請求項１〜９いずれか１項に記載の」と訂正する。
訂正事項ｊ：特許請求の範囲の請求項１１に「請求項１ないし１０のいずれか１項記載の」とあるのを「請求項１〜１０のいずれか１項に記載の」と訂正する。
訂正事項ｋ：特許請求の範囲の請求項１２に「請求項１ないし１１のいずれか１項記載の」とあるのを「請求項１〜１０のいずれか１項に記載の」と訂正する。
訂正事項ｌ：特許請求の範囲の請求項１３に「請求項１ないし１２のいずれか１項記載の」とあるのを「請求項１〜１０のいずれか１項に記載の」と訂正する。
訂正事項ｍ：明細書の段落【００２３】及び【００２４】を「また、請求項１及び請求項２において、濾過手段の上流側に被浄化水に含まれる懸濁物質を凝集させる凝集手段を設けることにより、凝集手段により懸濁物質が凝集されて大型化して凝集フロックが形成され、下流の濾過手段により効率的に懸濁物質を含む凝集フロックが濾過されることとなる。したがって微生物の有機物分解作用を利用することなく物理的に浄化されるので被浄化水の温度を微生物生育温度に保持する必要がなく、高温殺菌に好適である。また前記凝集濾過方式を用いるので浄化速度が高まり、複数の人が続けて入浴した場合においても各々清浄度の高い浴槽水に入浴できることとなる。」と訂正すると共に段落【００１５】に繰り上げる。
訂正事項ｎ：明細書の段落【００２７】及び【００２８】を段落【００１６】、【００１７】及び【００１８】に繰り上げると共に「【００１６】また請求項３に係る水浄化装置は、給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を設け、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成したものである。【００１７】また請求項４に係る水浄化装置は、給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を有し、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成し、かつ前記高温洗浄手段は濾過手段の下流に流路切換手段を介して前記往き管と戻り管を連通可能に設けたバイパス路を備え、前記流路切換手段と給湯手段の制御によって前記濾過手段を含む閉ループ循環回路を形成し、高温水を循環可能に構成した水浄化装置とする。【００１８】そして、請求項３及び４記載の発明によれば、濾材に設けられた抗菌層の有する殺菌・抗菌作用（オリゴディナミー作用）により、被浄化水に含まれる細菌類の増殖が抑制される。すなわち、細菌の金属イオンへの接触および溶出した金属イオンが細菌の細胞膜などの蛋白質に吸着されて代謝阻害を引き起こし、細菌を死滅させることができる。この結果、被浄化水中に繁殖する細菌類の増殖を抑制でき、細菌増殖に起因する濁度の上昇および細菌の代謝物など（低級脂肪酸・乳酸タンパク質・尿素など）に起因する臭気が抑制されることとなり、さらに高質の浄化水が得られる。」と訂正する。
訂正事項ｏ：明細書の段落【００１５】〜【００２２】を段落【００１９】〜【００２６】にそれぞれ繰り下げると共に、段落【００１９】の「請求項３」を「請求項５」、段落【００２１】の「請求項４」を「請求項６」、段落【００２３】の「請求項５」を「請求項７」、段落【００２５】の「請求項６」を「請求項８」と、それぞれ訂正する。
訂正事項ｐ：明細書の段落【００２５】〜【００２６】を段落【００２７】〜【００２８】にそれぞれ繰り下げると共に、段落【００２７】の「請求項８」を「請求項９」と訂正する。
１−２．訂正の目的の適否、新規事項の有無及び拡張・変更の存否
（イ）訂正事項ａは、請求項の削除であるから、特許請求の範囲の減縮を目的とするものであり、本件特許明細書又は図面に記載した事項の範囲内においてなされたものである。
（ロ）訂正事項ｂ−１は、上記訂正事項ａの請求項１〜２の削除に伴い、訂正前の請求項７の請求項１〜２を引用して記載したものをそれぞれ請求項１及び請求項２として独立形式で記載したものであるから、明りょうでない記載の釈明を目的とするものであり、本件特許明細書又は図面に記載した事項の範囲内においてなされたものである。
（ハ）訂正事項ｃは、上記訂正事項ａの請求項１〜２の削除に伴い、訂正前の請求項９の請求項１〜２を引用して記載したものをそれぞれ請求項３及び請求項４として独立形式で記載したものであるから、明りょうでない記載の釈明を目的とするものであり、本件特許明細書又は図面に記載した事項の範囲内においてなされたものである。
（ニ）訂正事項ｄ〜ｌは、上記訂正事項ａ、ｂ−１、ｃの訂正に伴うものであり、請求項の番号と引用する請求項の番号を整合させるためにするものであるから、明りょうでない記載の釈明を目的とするものであり、本件特許明細書又は図面に記載した事項の範囲内においてなされたものである。
（ホ）訂正事項ｂ−２〜ｂ−４、ｍ〜ｐは、上記訂正事項ａ、ｂ−１、ｃ〜ｌの訂正に伴うものであり、訂正された各請求項の記載と発明の詳細な説明の記載とを整合させるためにするものであるから、明りょうでない記載の釈明を目的とするものであり、本件特許明細書又は図面に記載した事項の範囲内においてなされたものである。
（ヘ）また、上記訂正事項ａ〜ｐは、実質上特許請求の範囲を拡張し、又は変更するものでもない。
１−３．まとめ
　以上のとおりであるから、上記訂正は、特許法第１２０条の４第２項及び同条第３項において準用する特許法第１２６条第２項から第４項までの規定に適合するので、当該訂正を認める。
２．特許異議申立について
　特許異議が申立てられている請求項は訂正前の請求項１〜６、１１であるが、訂正により、訂正前の請求項１〜２は削除され、また、訂正前の請求項３〜６、１１は訂正後の請求項５〜８、１１となった。そして、訂正後の請求項５〜８は、特許異議が申立てられていない訂正前の請求項７または９における請求項３〜６の引用部分に、実質的に相当する。さらに、訂正後の請求項１１は、特許異議が申立てられている請求項の引用部分を削除し、特許異議が申立てられていない訂正前の請求項７または９の引用部分のみに特定したものに、実質的に相当する。
　してみると、特許異議が申立てられている訂正前の請求項１〜６、１１は、訂正の結果実質的に削除され、特許異議申立の対象が存在しないので、この特許異議申立は、不適法な申立であって、その補正をすることができないものである。
　したがって、本件特許異議申立は、特許法第１２０条の６第１項で準用する第１３５条の規定により却下すべきものである。
　よって、結論のとおり決定する。
【異議決定日】
平成１５年５月１９日（２００３．５．１９）
【訂正の要旨】
▲１▼訂正事項ａ
　請求項１に係る発明の特許請求の範囲に特許請求の範囲の減縮を目的として「濾過手段の上流側に設けられた被浄化水に含まれる懸濁物質を凝集させる凝集手段と、」を加え、訂正する。
　これに伴い特許請求の範囲と発明の詳細な説明の記載の整合性を図るため、明瞭でない記載の釈明を目的として、次のように訂正する。
　特許明細書の段落【０００９】を下記の通り訂正します。
「【課題を解決するための手段】
　本発明は上記課題を解決するために、被浄化水を循環させる循環手段と、往き管と戻り管からなる循環路と、被浄化水に含まれる懸濁物質を浄化する濾過手段と、濾過手段の上流側に設けられた被浄化水に含まれる懸濁物質を凝集させる凝集手段と、前記濾過手段を含む循環路に高温水を循環させる高温洗浄手段を設けたものである。」
▲２▼訂正事項ｂ
　特許明細書の段落【００１１】を下記の通り訂正します。
「【発明の実施の形態】
　本発明の請求項１に係る水浄化装置は、被浄化水を循環させる循環手段と、往き管と戻り管からなる循環路と、被浄化水に含まれる懸濁物質を浄化する濾過手段と、濾過手段の上流側に設けられた被浄化水に含まれる懸濁物質を凝集させる凝集手段と、前記濾過手段と循環路に高温水を循環させる高温洗浄手段を設けたものである。」
▲３▼訂正事項ｃ
　請求項２に係る発明の特許請求の範囲に特許請求の範囲の減縮を目的として「濾過手段の上流側に設けられた被浄化水に含まれる懸濁物質を凝集させる凝集手段と、」を加え、訂正する。
▲４▼訂正事項ｄ
（イ）特許明細書の段落【００１３】を下記の通り訂正します。
　「また請求項２に係る水浄化装置は、給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、濾過手段の上流側に設けられた被浄化水に含まれる懸濁物質を凝集させる凝集手段と、前記濾過手段と循環路に高温水を循環させる高温洗浄手段を設けたものである。」
▲５▼訂正事項ｅ
　請求項３に係る発明の特許請求の範囲を特許掲載公報記載の請求項１の特許請求の範囲の減縮を目的として「被浄化水を循環させる循環手段と、往き管と戻り管からなる循環路と、被浄化水に含まれる懸濁物質を浄化する濾過手段と、前記濾過手段と循環路に高温水を循環させる高温洗浄手段とを有し、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成し、かつ前記高温洗浄手段は被浄化水の水温を制御する加熱手段と、濾過手段の下流に流路切換手段を介して前記往き管と戻り管を連通可能に設けたバイパス路と、制御手段からなり、前記流路切換手段と加熱手段の制御によって前記濾過手段を含む閉ループ循環回路を形成し、高温水を循環可能に構成した水浄化装置。」と訂正する。
▲６▼訂正事項ｆ
　特許明細書の段落【００１６】を下記の通り訂正します。
「また請求項３に係る水浄化装置は、給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を設け、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成したものである。」
▲７▼訂正事項ｇ
　請求項４に係る発明の特許請求の範囲を特許掲載公報記載の請求項２の特許請求の範囲の減縮を目的として「給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を有し、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成し、かつ前記高温洗浄手段は濾過手段の下流に流路切換手段を介して前記往き管と戻り管を連通可能に設けたバイパス路を備え、前記流路切換手段と給湯手段の制御によって前記濾過手段を含む閉ループ循環回路を形成し、高温水を循環可能に構成した水浄化装置。」と訂正する。
▲８▼訂正事項ｇ
　特許明細書の段落【００１５】を下記の通り訂正します。
　また、請求項１及び請求項２において、濾過手段の上流側に被浄化水に含まれる懸濁物質を凝集させる凝集手段を設けることにより、凝集手段により懸濁物質が凝集されて大型化して凝集フロックが形成され、下流の濾過手段により効率的に懸濁物質を含む凝集フロックが濾過されることとなる。したがって微生物の有機物分解作用を利用することなく物理的に浄化されるので被浄化水の温度を微生物生育温度に保持する必要がなく、高温殺菌に好適である。また前記凝集濾過方式を用いるので浄化速度が高まり、複数の人が続けて入浴した場合においても各々清浄度の高い浴槽水に入浴できることとなる。
▲９▼訂正事項ｈ
　特許掲載公報の請求項７と請求項９を削除いたします。
▲１０▼訂正事項ｉ
　特許請求の範囲における請求項の番号が上記訂正により変更されたことに伴い、各請求項の番号を降順に付け直します。
（５４）【発明の名称】
水浄化装置
（５７）【特許請求の範囲】
　【請求項１】　被浄化水を循環させる循環手段と、往き管と戻り管からなる循環路と、被浄化水に含まれる懸濁物質を浄化する濾過手段と、
濾過手段の上流側に設けられた被浄化水に含まれる懸濁物質を凝集させる凝集手段と、
　【請求項２】　給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、
濾過手段の上流側に設けられた被浄化水に含まれる懸濁物質を凝集させる凝集手段と、
　【請求項３】　
被浄化水を循環させる循環手段と、往き管と戻り管からなる循環路と、被浄化水に含まれる懸濁物質を浄化する濾過手段と、前記濾過手段と循環路に高温水を循環させる高温洗浄手段とを有し、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成し、かつ前記高温洗浄手段は被浄化水の水温を制御する加熱手段と、濾過手段の下流に流路切換手段を介して前記往き管と戻り管を連通可能に設けたバイパス路と、制御手段からなり、前記流路切換手段と加熱手段の制御によって前記濾過手段を含む閉ループ循環回路を形成し、高温水を循環可能に構成した
　【請求項４】　
給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を有し、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成し、かつ前記高温洗浄手段は濾過手段の下流に流路切換手段を介して前記往き管と戻り管を連通可能に設けたバイパス路を備え、前記流路切換手段と給湯手段の制御によって前記濾過手段を含む閉ループ循環回路を形成し、高温水を循環可能に構成した
　【請求項
５
１〜４いずれか１項に
　【請求項
６
３〜５いずれか１項に
　【請求項
７
１〜６いずれか１項に
　【請求項
８
１〜７のいずれか１項に
　【請求項
９
１〜８いずれか１項に
　【請求項１０】　金属元素を含有するアミノ酸金属石鹸からなる分散剤に無機バインダを加えて粒状濾材表面に結合させた後、所定温度で焼成することにより抗菌層を形成した請求項
１〜９いずれか１項に
　【請求項１１】　循環路中に被浄化水に含まれる微生物を死滅させる紫外線照射手段を設けた請求項
１〜１０のいずれか１項に
　【請求項１２】　循環路中の被浄化水にオゾンを混入するオゾン混入手段を設けた請求項
１〜１０のいずれか１項に
　【請求項１３】　循環路中の浴槽水と接触可能に対向配置した複数の電極と、前記電極に電圧を印可する電源を有し、前記電極への通電により活性酸素を発生させて前記浴槽水に混入可能に構成した請求項
１〜１０のいずれか１項に
【発明の詳細な説明】
　【０００１】
　【発明の属する技術分野】
　本発明は、被浄化水に含まれる有機物および無機物などの懸濁物質を除去浄化する水浄化装置に関するものであり、特に被浄化水に含まれる細菌を効果的に低減できる水浄化装置に関するものである。
　【０００２】
　【従来の技術】
　この種の従来の水浄化装置としては、図６に示すようにガス湯沸かし器を熱源として浴槽水を一定温に保持するとともに、微生物の有機物分解作用を利用した温水浄化手段を設けたものがある（例えば特開平８−５１４１号公報）。
　【０００３】
　同図において、１はガス栓２および給水栓３を有するガス湯沸かし器であり、ガスバーナー４、給湯端末５用の給湯熱交換器６および浴槽水を保温する保温熱交換器７を有している。８は浴槽９内の温水を循環する循環ポンプであり、保温熱交換器７を含む循環路１０内に設けられている。１１は浴槽水を浄化するための温水浄化手段であり、内部に多孔質の微生物繁殖部材１２が設けられている。１３はガス湯沸かし器１を制御するための制御手段である。
　【０００４】
　この構成において、給湯端末５を開くと制御手段１３が動作してガス栓２および給水栓３が開栓され、給湯熱交換器６で沸き上げられた所定温度の湯が給湯端末５から放出される。また循環ポンプ８の動作により浴槽水が循環され、保温熱交換器７によって一定温度に加熱保温されるとともに、温水浄化手段１１を通過することにより、微生物繁殖部材１２に繁殖した微生物が浴槽水に含まれるアンモニアおよび蛋白質などを分解し、浴槽水を浄化する。
　【０００５】
　【発明が解決しようとする課題】
　しかしながら上記した水浄化装置では、以下に述べるような課題があった。
　【０００６】
　（１）微生物の有機物分解作用を利用した温水浄化手段のため、微生物を活性状態に保つために常に浴槽水を４０℃付近に維持する必要がある。このため濾過手段を含む循環路に高温水を循環させ被浄化水に含まれる細菌類を高温殺菌することができない。したがって細菌が増殖し安全衛生上好ましくない。特にレジオネラ肺炎の病原菌であるレジオネラ属菌は３５〜４０℃付近で急激に増殖するため対策が望まれている。
　【０００７】
　（２）常に浴槽水を４０℃付近に維持する必要があるので、逆に浴槽水の温度を下げることができない。したがって入浴時間以外にも保温しておく必要があり、保温のための電気、ガス使用量など燃費が高くなる。
　【０００８】
　（３）微生物の有機物分解速度が遅いため、浄化速度が遅い。したがって複数の人が続けて（例えば３０分間隔）入浴した場合、１人目以後の人が入浴する際は十分な浄化がされないため、濁った状態の浴槽水に入浴する必要がある。
　【０００９】
　【課題を解決するための手段】
　本発明は上記課題を解決するために、被浄化水を循環させる循環手段と、往き管と戻り管からなる循環路と、被浄化水に含まれる懸濁物質を浄化する濾過手段と、
濾過手段の上流側に設けられた被浄化水に含まれる懸濁物質を凝集させる凝集手段と、
　【００１０】
　上記発明によれば、高温洗浄手段によって濾過手段を含む閉ループ循環回路を形成し、高温水を循環させるものであるので、浴槽内の水温を上昇させることなく濾過手段を含む循環系の高温殺菌が可能となる。この結果、循環路および濾過手段に繁殖する細菌類を高温殺菌洗浄できる。特にレジオネラ肺炎の原因菌となるレジオネラ属菌は、通水系の滞留部に繁殖しやすいが、高温水を循環させることによって効果的に殺菌することが可能となり安全性が向上する。
　【００１１】
　【発明の実施の形態】
　本発明の請求項１に係る水浄化装置は、被浄化水を循環させる循環手段と、往き管と戻り管からなる循環路と、被浄化水に含まれる懸濁物質を浄化する濾過手段と、
濾過手段の上流側に設けられた被浄化水に含まれる懸濁物質を凝集させる凝集手段と、
　【００１２】
　そして、高温洗浄手段を設けることによって濾過手段を含む循環路に高温水を循環させることが可能となる。この結果、濾過手段を含む循環系の高温殺菌が可能となり、循環路および濾過手段に繁殖する細菌類を高温殺菌洗浄できる。特にレジオネラ肺炎の原因菌となるレジオネラ属菌は、通水系の滞留部に繁殖しやすいが、高温水を循環させることによって効果的に殺菌することが可能となり安全性が向上する。
　【００１３】
　また請求項２に係る水浄化装置は、給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、
濾過手段の上流側に設けられた被浄化水に含まれる懸濁物質を凝集させる凝集手段と、
　【００１４】
　そして、給湯手段との一体化により高温水の沸き上げに対してガス・石油燃焼など高カロリー熱源を用いることができるので高温殺菌用循環水の温度を急速に立上げることが可能となる。このため単位時間あたりの高温殺菌回数を増加させることができ、より効果的に高温殺菌できる。また給湯手段との一体化により浴槽の自動お湯張りおよび足し湯が可能となり、利便性が向上する。
　【００１５】
　
また、請求項１及び請求項２において、濾過手段の上流側に被浄化水に含まれる懸濁物質を凝集させる凝集手段を設けることにより、凝集手段により懸濁物質が凝集されて大型化して凝集フロックが形成され、下流の濾過手段により効率的に懸濁物質を含む凝集フロックが濾過されることとなる。したがって微生物の有機物分解作用を利用することなく物理的に浄化されるので被浄化水の温度を微生物生育温度に保持する必要がなく、高温殺菌に好適である。また前記凝集濾過方式を用いるので浄化速度が高まり、複数の人が続けて入浴した場合においても各々清浄度の高い浴槽水に入浴できることとなる。
　【００１６】
　
また請求項３に係る水浄化装置は、給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を設け、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成したものである。
　【００１７】
　
また請求項４に係る水浄化装置は、給湯端末および浴槽に給湯する給湯手段と、前記給湯手段と一体に構成され被浄化水を浄化する水浄化手段と、前記給湯手段および水浄化手段を制御する制御手段からなり、前記水浄化手段は、被浄化水を循環させる循環手段と、往き管と戻り管からなる循環路と、被浄化水に含まれる懸濁物質を浄化する濾過手段と、前記濾過手段と循環路に高温水を循環させる高温洗浄手段を有し、前記濾過手段の内部に粒状濾材の表面に抗菌層を形成した抗菌濾材を充填するとともに、前記抗菌濾材は抗菌能を有する金属元素と、前記金属元素を粒状濾材表面に分散担持させるための分散剤と、前記粒状濾材と金属元素を結合するバインダとから抗菌層を形成し、かつ前記高温洗浄手段は濾過手段の下流に流路切換手段を介して前記往き管と戻り管を連通可能に設けたバイパス路を備え、前記流路切換手段と給湯手段の制御によって前記濾過手段を含む閉ループ循環回路を形成し、高温水を循環可能に構成した水浄化装置とする。
　【００１８】
　
そして、請求項３及び４記載の発明によれば、
　【００１９】
　また請求項
５
　【００２０】
　そして、流路切換手段を制御してバイパス路を連通させることにより濾過手段を含む閉ループ循環回路を形成し、加熱手段によって高温水を循環させるものであるので、簡単な構成により浴槽内の水温を上昇させることなく細菌類が繁殖しやすい濾過手段を含む循環系を高温殺菌することができる。
　【００２１】
　また請求項
６
　【００２２】
　そして、タイマーにより入浴時間を設定しておけば、入浴時間帯に高温殺菌動作されることがない。したがって入浴中に高温水が浴槽に流入することが防止されるので安全性が向上する。また入浴時間帯以外は浴槽水の温度を下げることで連続保温を不要とし、ランニングコストを低減できるとともに高温保持による浴槽の劣化を防止できる。
　【００２３】
　また請求項
７
　【００２４】
　そして、例えば浴槽水中の細菌は殆どが中温菌であり、生息温度は４３℃以下である。したがって６０℃以上の高温水を循環させることにより効果的に殺菌できる。一方、近年話題になっているレジオネラ肺炎の原因菌となるレジオネラ属菌は、６０℃以下の温度領域では生息可能であるが、６０℃以上の高温水を数分間循環させることによって効果的に殺菌することが可能であり、病原菌をより確実に殺菌できる。
　【００２５】
　また請求項
８
　【００２６】
　そして、閉ループ循環回路内を高温殺菌した高温水を濾過手段に堆積した懸濁物質の逆流洗浄に利用し廃棄するので、水の有効利用ができるとともに高温水で逆流洗浄するため濾過手段に堆積した懸濁物質が効果的に洗浄され、洗浄効率が向上する。
　【００２７】
　また請求項
９
　【００２８】
　そして凝集手段として金属イオンを溶出する陽極と、陰極および定電流電源から構成したものであるので、凝集を電気的に行うことが可能となり、凝集のメンテナンスフリー化が実現できる。また電極間に印可する通電量を制御すれば溶出する金属イオンの量、つまり凝集の度合いを調節できるので、凝集制御が容易となる。また電源を定電流電源としたので電極表面の酸化による電気特性の変化および溶出により電極間の間隙が変化してもファラデーの法則により、金属イオンの溶出量は電流値に比例するので安定した凝集が可能となる。さらに陽極をイオン化傾向の高いアルミニウムで構成したので、アルミニウムイオン（陽イオン）が容易に溶出し、水と反応して水酸化アルミニウムが生成され、この水酸化アルミニウムの凝集作用により懸濁物質を吸着し、効率的に凝集フロックが形成される。また陰極を比較的イオン化傾向の低いステンレスから構成したので、非通電時に陰極からのイオンの溶出がなく、また水中使用に際しても腐食されることがない。
　【００２９】
　また請求項１０に係る水浄化装置は、金属元素を含有するアミノ酸金属石鹸からなる分散剤に無機バインダを加えて粒状濾材表面に結合させた後、所定温度で焼成することにより抗菌層を形成するものである。
　【００３０】
　これにより重金属を均一かつ強固に濾材表面に担持できる。すなわち、抗菌層の形成においては、例えばＬ−グルタミン酸と天然脂肪酸などから構成されるアミノ酸に抗菌能を有する金属元素を加えてゾル状のアミノ酸金属石鹸を生成し、これに無機バインダを添加するとともに濾材を加えて混練する。この時、通常は濾材の表面に対して金属元素が凝集しやすく、均一に分散されないが、アミノ酸は好適なキャリヤとして作用するため、凝集が防止されて抗菌能を有する金属元素が濾材表面に均一分散担持される。その後、所定温度で焼成することにより有機物であるアミノ酸が燃焼して分解し、濾材と金属元素が無機バインダによって強固に結合されることとなるのである。この結果、抗菌層が均一に形成できるとともに、浄化時における水への金属元素の溶出を抑制することが可能となり、抗菌性能の耐久性が向上することとなる。
　【００３１】
　また請求項１１に係る給湯浄化装置は、循環路中に浴槽水に含まれる微生物を死滅させる紫外線照射手段を設けたものである。
　【００３２】
　そして波長２００〜２８０ｎｍの紫外線は、微生物を死滅させる有効な手段であり、被浄化水に含まれる細菌を効果的に殺菌できる。特に高温殺菌および抗菌濾材との併用により、効果的に殺菌できるとともに紫外線照射時間を短縮できるので、殺菌灯の寿命を延ばすことができる。
　【００３３】
　また請求項１２に係る給湯浄化装置は、循環路中の浴槽水にオゾンを混入するオゾン混入手段を設けたものである。
　【００３４】
　そして、混入されたオゾンの強力な酸化力により、浴槽水に含まれる有機物および低級脂肪酸・乳酸・尿素などの臭気成分が徐々に酸化分解され、臭気が抑制されることとなり、浴槽水の高質化が図れる。
　【００３５】
　また請求項１３に係る給湯浄化装置は、循環路中の浴槽水と接触可能に対向配置した複数の電極と、前記電極に電圧を印可する電源を有し、前記電極への通電により活性酸素を発生させて前記浴槽水に混入可能に構成したものである。
　【００３６】
　そして、電極への通電により浴槽水が電気分解され、その結果活性酸素が生成されて浴槽水に混入されることとなる。この活性酸素の持つ酸化力により被浄化水に含まれる有機物および低級脂肪酸・乳酸・尿素などの臭気成分が徐々に分解され、臭気が抑制されることとなる。このためより清澄な入浴水が実現でき、快適な入浴が実現できる。
　【００３７】
　以下、本発明の実施例について図面を参照して説明する。
　（実施例１）
　図１は、本発明の実施例１における水浄化装置の構成図を示す。同図において１４は浴槽１５内の懸濁水を往き管１６および戻り管１７からなる循環路１８に循環するための循環手段であり、水ポンプから構成されている。１９は浴槽水中の細菌類を死滅させるための紫外線照射手段であり、波長２００〜２８０ｎｍの紫外線を浴槽水に照射可能に構成されている。また２０は被浄化水である浴槽水中の懸濁物質を濾過する濾過手段であり、内部に浴槽水の水温を制御する加熱手段２１が設けられるとともに、上流側には流路切換弁２２、また下流側には多方向の流路を選択切換えする流路切換手段２３を介して往き管１６と戻り管１７を連通可能なバイパス路２４が設けられており、バイパス路２４を連通することにより浴槽１５を除く閉ループ循環回路が形成される。２５は循環路１８内に設けられた温度検出手段、また２６は入浴時間帯を設定するタイマー２７を有する制御手段であり、以上の加熱手段２１、流路切換手段２３、バイパス路２４、温度検知手段２５および制御手段２６から前記閉ループ循環回路内を６０℃以上の高温水によって殺菌洗浄する高温洗浄手段２８が構成されている。２９は濾過手段２０に濾過方向とは逆方向に浴槽水を供給し、懸濁物質の堆積による濾過手段２０の目詰まりを防止するための逆洗路であり、逆流洗浄された汚水は排出路３０から外部に廃棄される。
　【００３８】
　ここで濾過手段２０にはステンレスからなる筐体３１の内部にアルミニウムから構成される陽極３２を筐体３１に対向して配置しており、陽極３２と陰極（ここでは筐体３１を兼用している）および陽極３２と陰極３１間に電圧を印可する定電流電源３３とから浴槽水に含まれる懸濁物質を凝集させて大型化させる凝集手段３４が構成されている。またその下流には、例えばアルミナを主成分とする粒子径０．２〜０．８ｍｍの範囲の粒状濾材からなる抗菌濾材３５が濾床３６を介して充填されており、抗菌濾材３５には図２に示したように、Ａｇ、Ｃｕ、Ｚｎ、Ｆｅなどの抗菌作用を有する重金属元素３７の中で少なくとも１種がシリカ−アルミナからなる無機バインダ３８によって抗菌濾材３５に密着結合されて抗菌層３９が形成されている。なお抗菌層３９は、Ｌ−グルタミン酸と天然脂肪酸などから構成される分散剤としてのアミノ酸に、抗菌能を有する重金属元素３７を加えてゾル状のアミノ酸金属石鹸を生成し、これに無機バインダ３８を添加するとともに粒状濾材を加えて混練し、その後所定温度（８００〜１０００℃）で焼成することにより形成されており、焼成により分散剤、すなわちアミノ酸成分は燃焼して分解する。
　【００３９】
　以上の構成において次に実施例１の作用・動作について説明する。循環手段１４が駆動することによって被浄化水である浴槽水は実線矢印で示したように循環路１８内を循環し、濾過手段２０の抗菌濾材３５を通過することにより懸濁物質が固液分離されて浄化される。また循環浄化時の所定の時期に制御手段２６が動作して濾過手段２０に設けられた凝集手段３４を動作させる。すなわち定電流電源３３によって陽極３２と陰極３１間に通電され、電気分解により陽極３２からアルミニウムイオンが溶出する。このアルミニウムイオンは水と反応し、水酸化アルミニウムのコロイドが生成される。ここで水に含まれる垢成分および細菌などの懸濁物質は負電荷であるため、正電荷の水酸化アルミニウムのコロイドが結着媒体となり、架橋作用によって微細な懸濁物質同士を吸着させて粒子径が大型化し、凝集フロックが形成される。実験によれば細菌、有機物などの懸濁物質の粒子径は０．７〜１μｍ前後であり、電極間に３００ｍＡを通電して凝集した場合
、凝集フロックの粒子径は、３０μｍ前後に大型化した。したがって充填された
抗菌濾材３５の深層部に凝集フロックが効率的に濾過され、急速浄化が可能となる。実験によれば濁度２度の浴槽水を電極間に３００ｍＡを通電しながら循環濾過した場合、２０分間で濁度０．５度以下が得られた。なおこの時の循環流量は１５ｌ／ｍｉｎである。
　【００４０】
　また入浴による皮膚常在菌の混入等により、浴槽水中には細菌類が含まれており、これらの増殖により濁り、臭気、ヌメリの原因となるが、細菌類を含む浴槽水が抗菌濾材３５を通過することにより、抗菌層３９のＡｇ、Ｃｕなどの重金属イオンと細菌が接触する、および重金属イオンが溶出し、微量作用（オリゴディナミー作用）によって殺菌され、増殖が抑制される。すなわち微量作用のメカニズムとしては、Ａｇ・Ｃｕなどの重金属イオンが懸濁水中に存在する細菌の細胞膜などの蛋白質に吸着されて代謝阻害を引き起こし、抗菌および殺菌作用によって増殖防止されるものと考えられる。なお、Ａｇ、Ｃｕなどの重金属イオンは、レジオネラ肺炎などの病原菌となるレジオネラ属菌に対して高い制菌効果が得られ、一般細菌のみでなく病原菌に対しても効果的である。また抗菌濾材３５を積層した深層濾過方式となるため、抗菌層３９と被浄化水に含まれる細菌類の接触効率が向上し、殺菌効率が向上する。これにより細菌の増殖による濁度の上昇、臭気およびヌメリの発生が抑制され、清澄な浴槽水が得られる。また波長２００〜２８０ｎｍの紫外線は、微生物を死滅させる有効な手段であり、紫外線照射手段１９によって浴槽水に含まれる細菌類が殺菌され、その死骸が凝集作用によって濾過手段２０で濾過されるため細菌の増殖がさらに効果的に抑制され、また抗菌濾材３５と併用するので紫外線照射時間を短縮でき、紫外線ランプの長寿命化が図れる。
　【００４１】
　一方、タイマー２７によって入浴時間帯を予め設定しておけば、入浴時間帯のみ加熱手段２１によって追い炊きして４０℃前後の入浴適温に沸き上げ保温することができ、これによって入浴時間外は保温の必要がなく、従来例で述べた微生物方式のように常時４０℃前後に保持するものに比較して大幅な燃費の低減が図れる。また凝集濾過方式によって物理的に濾過するものであるので６５℃以上の高温水を濾過手段２０内に循環させることができるので高温殺菌が可能となる。
　【００４２】
　また前記タイマー２７は入浴時間帯以外の適当な時間帯に制御手段２６を起動して高温洗浄手段２８を動作させることができるようにもなっており、これにより濾過手段２０を含む循環路１８の高温殺菌洗浄が行われる。すなわち流路切換手段２３が動作してバイパス路２４を開放し、往き管１６と戻り管１７を連通させて図１の破線矢印に示したように浴槽１５を除く閉ループ循環回路が形成される。また同時に加熱手段２１に通電されて循環水の温度を上昇させ、温度検知手段２５によって６０℃以上に沸き上げられる。所定時間（例えば５分間）循環して高温殺菌した後、制御手段２６によって流路切換手段２３は逆洗路２９と濾過手段２０の下流側を連通する方向に切り換えられるとともに流路切換弁２２は排水路３０側に切り換わり、高温水が通常の濾過方向と反対の方向から濾過手段２０内を通過する。これにより抗菌濾材３５に堆積した懸濁物質が洗浄され、洗浄後の汚水は排出路３０から外部に廃棄される。したがって抗菌濾材３５の表面を被覆していた懸濁物質が洗浄により除去される。なおこの時、６０℃以上の高温水によって逆洗するため洗浄効率が向上するとともに高温殺菌に利用した水で逆洗するので水の有効利用ができる。高温殺菌および逆洗動作後は再度流路切換弁２２および流路切換手段２３は通常の循環濾過方向に切り換えられて浄化が行われる。
　【００４３】
　図３に以上述べた動作すなわち浴槽水温、高温殺菌時の循環路１８の温度および逆流洗浄のタイミングについてのタイムチャートを示す。なお高温洗浄手段２８は手動スイッチ等によって使用者が任意に動作させ、その後タイマーによって所定時間後に停止させる等してもよく、その手法は種々考えられるものである。
　【００４４】
　以上のように本実施例では以下の効果が得られる。
　（１）高温洗浄手段２８を設けることによって濾過手段２０を含む循環路１８に高温水を循環させることが可能となる。この結果、循環系の高温殺菌が可能となり、循環路１８および濾過手段２０に繁殖する細菌類を高温殺菌洗浄できる。特にレジオネラ肺炎の原因菌となるレジオネラ属菌は、通水系の滞留部に繁殖しやすいが、高温水を循環させることによって効果的に殺菌することが可能となり安全性が向上する。
　【００４５】
　（２）高温洗浄手段２８は、流路切換手段２３を制御してバイパス路２４を連通させることにより濾過手段２０を含む閉ループ循環回路を形成し、加熱手段によって高温水を循環させるものであるので、簡単な構成により浴槽１５内の水温を上昇させることなく細菌類が繁殖しやすい濾過手段２０を含む循環系を高温殺菌することができる。
　【００４６】
　（３）入浴時間を設定するタイマー２７を設けたので、入浴時間帯に高温殺菌動作されることがない。したがって入浴中に高温水が浴槽１５側に流入することが防止されるので安全性が向上する。また入浴時間帯以外は浴槽水の温度を下げることで連続保温を不要とし、ランニングコストを低減できるとともに高温保持による浴槽の劣化を防止できる。
　【００４７】
　（４）高温殺菌の温度を６０℃以上で所定時間行うので効果的に殺菌できる。特にレジオネラ属菌は６０℃以上の高温水を数分間循環させることによって効果的に殺菌することが可能であり、病原菌をより確実に殺菌できる。
　【００４８】
　（５）閉ループ循環回路内を高温殺菌した高温水を濾過手段２０に堆積した懸濁物質の逆流洗浄に利用し廃棄するので、水の有効利用ができるとともに高温水で逆流洗浄するため濾過手段２０に堆積した懸濁物質が効率的に洗浄され、洗浄水量を低減できる。
　【００４９】
　（６）凝集手段３４により懸濁物質が凝集されて大型化して凝集フロックが形成され、下流の濾過手段２０により効率的に懸濁物質を含む凝集フロックが濾過されることとなる。したがって微生物の有機物分解作用を利用することなく物理的に浄化されるので被浄化水の温度を微生物生育温度に保持する必要がなく、高温殺菌に好適である。また凝集濾過方式を用いるので浄化速度が高まり、複数の人が続けて入浴した場合においても各々清浄度の高い浴槽水に入浴できることとなる。
　【００５０】
　（７）凝集手段３４は陽極３２と、陰極３１および定電流電源３３から構成したので、凝集を電気的に行うことが可能となり、凝集のメンテナンスフリー化が実現できる。また電極間に印可する通電量を制御すれば溶出する金属イオンの量、つまり凝集の度合いを調節できるので、凝集制御が容易となる。さらに陽極３２をイオン化傾向の高いアルミニウムで構成したので、アルミニウムイオン（陽イオン）が容易に溶出し、水と反応して水酸化アルミニウムが生成され、効率的に凝集フロックが形成される。また陰極３１を比較的イオン化傾向の低いステンレスから構成したので、非通電時に陰極からのイオンの溶出がなく、また水中使用に際しても腐食されることがない。
　【００５１】
　（８）濾材に抗菌層３９を形成したので、浴槽水中に繁殖する細菌類の増殖を抑制でき、細菌増殖に起因する濁度の上昇および細菌の代謝物などに起因する臭気が抑制されることとなる。
　【００５２】
　（９）濾材に抗菌層３９を形成する際に、分散剤としてアミノ酸金属石鹸を用いるので金属元素３７の凝集が防止されて金属元素３７が濾材表面に均一に分散担持される。また無機バインダ３８によって金属元素３９と粒状濾材が強固に結合されるので、浄化時の金属元素の溶出を抑制することが可能となり、抗菌性能の耐久性が向上する。
　【００５３】
　（１０）紫外線照射手段１９を設けたので被浄化水に含まれる細菌を効果的に殺菌できる。特に高温殺菌および抗菌濾材との併用により、効果的に殺菌できるとともに紫外線照射時間を短縮できるので、殺菌灯の寿命を延ばすことができる。
　【００５４】
　（実施例２）
　図４に本発明の実施例２における水浄化装置の構成図を示す。同図において４０は、複数の給湯端末４１に給湯可能な給湯手段であり、水栓４２、ガス栓４３、ガスバーナ４４によって加熱される給湯熱交換器４５およびガス弁４６、４７を有している。
　【００５５】
　４８は、給湯手段４０と一体に構成され、浴槽１５の水を循環浄化する水浄化手段であり、給湯手段４０のガス弁４７を介して設けられたガスバーナ４９および浴槽水熱交換器５０を有し、浴槽水の水温を制御する加熱手段２１ａ、浴槽１５の水位を水圧によって検出する水位センサ５１、給湯手段４０の給湯水を濾過手段２０および戻り管１７を経て浴槽１５に給湯するための流路切換手段５２が設けられている。５３は給湯手段４０および水浄化手段４８を制御するための制御手段である。５４は濾過手段２０の上流側に設けられ、循環路１８中の浴槽水にオゾンを混入するオゾン混入手段であり、混入部材５５、オゾン発生手段５６およびオゾン量を調節するオゾン制御手段５７から構成されている。また５８は戻り管１７の浴槽１５近傍に設けられたオゾン分解触媒であり、例えばＮｉ−Ｍｎ系複合酸化物触媒から構成されている。その他の構成は図１に示した実施例と同様であり、同一番号を付して説明を省略する。
　【００５６】
　以上の構成において次に本実施例の作用、動作を説明する。
　制御手段５３の操作によって浴槽１５への湯張り信号が発せられると水栓４２およびガス弁４３が開弁され、ガスバーナ４４が燃焼を開始することによって給湯熱交換器４５で熱交換されて設定された温度の温水となる。ここで流路切換手段５２は破線矢印で示したように循環路１８側に連通し、給湯水は濾過手段２０、戻り管１７を経て浴槽１５に給湯される。浴槽１５の水位レベルは水位センサ５１によって検出されており、所定の水位となると自動的に流路切換手段５２は循環路１８側に連通し、同時に水栓４２およびガス栓４３が閉じて給湯手段４０の燃焼が停止される。なお複数の給湯端末４１のいずれかが開栓されると燃焼が始まり、設定された温度の湯が給湯される。
　【００５７】
　浴槽の湯張りが完了すると循環手段１４が駆動され、浴槽水は循環路１８内を循環し、濾過手段手段２０の抗菌濾材３５を通過することにより懸濁物質が固液分離されて浄化される。また浴槽１５の水温が設定温よりも低下すると加熱手段２１ａのガスバーナ４９が燃焼を開始して自動的に所定温度まで沸き上げ可能であり、また入浴時の用水により浴槽１５の水位が低下した場合、前記した初期の湯張りと同様の動作により給湯手段４０から自動的に足し湯される。またタイマー２７によって設定された入浴時間帯以外の適当な時間帯に図１に示した実施例と同様の動作により流路切換手段２３が動作して閉ループ循環回路が形成され、加熱手段２１ａによって６０℃以上の高温水により高温殺菌される。
　【００５８】
　一方、入浴人数あるいは回数の増加に伴い浴槽水中には濾過手段２０で循環濾過されない微細な溶存物質すなわち微細な有機物および低級脂肪酸・乳酸・尿素などの臭気成分が徐々に増加し、長期使用によって浴槽水の臭気が懸念される場合がある。本実施例では、所定時期にオゾン制御手段５７が動作してオゾン発生手段５６を制御し、循環されている浴槽水に所定濃度のオゾンが混入される。そして、混入されたオゾンの強力な酸化力により、浴槽水に含まれる有機物および低級脂肪酸・乳酸・尿素などの臭気成分が酸化分解され浴槽水の臭気が抑制されることとなり、浴槽水の高質化が図れる。オゾンは強力な酸化力を有しているが、高濃度（大気中で０．１ｐｐｍ以上）となると人体に有害であり、水中では０．
０５ｐｐｍ以下が望ましい。また浴槽１５の材質によってはオゾン劣化するものが
ある。本実施例では戻り管１７の浴槽１５近傍にオゾン分解触媒５８が設けられており、濾過手段２０を経てきた残留オゾンは浴槽１５に至るまでにオゾン分解触媒５８に接触し、効果的に分解される。したがって浴室内にオゾンが放散されることがなくなり安全性が向上するとともに浴槽１５の劣化を防止できる。特にＮｉ−Ｍｎ系複合酸化物触媒は、オゾンの分解能力に優れており、また水中使用に対しても触媒の劣化がない。
　【００５９】
　以上のように本実施例では、以下の効果が得られる。
　（１）給湯手段４０との一体化により高温水の沸き上げに対してガス・石油燃焼など高カロリー熱源を用いることができるので、高温殺菌用循環水の温度を急速に立上げることが可能となる。このため単位時間あたりの高温殺菌回数を増加させることができ、より効果的に高温殺菌できる。また給湯手段４０との一体化により浴槽の自動お湯張りおよび足し湯が可能となり、利便性が向上する。
　【００６０】
　（２）オゾン混入手段５４を設けたので微細有機物および低級脂肪酸・乳酸・尿素などの臭気成分がオゾンによって酸化分解され浴槽水の臭気が抑制され、長期にわたって快適な入浴が行える。
　【００６１】
　（３）オゾン分解触媒５８を設けたので残留オゾンが効果的に分解され、浴室内にオゾンが放散されることがなくなり安全性が向上するとともに浴槽１５の劣化を防止できる。
　【００６２】
　（４）オゾン分解触媒５８をＮｉ−Ｍｎ系複合酸化物触媒としたので、水中使用に好適であるとともに、特にオゾン分解性に優れていため、残余オゾンの漏洩防止に効果的である。
　【００６３】
　（実施例３）
　図５は、本発明の実施例３における水浄化装置の要部構成図を示す。同図において５９、６０は濾過手段２０の上流側に設けられ、循環路１８中の浴槽水と接触可能に所定の間隙を設けて配置した電極であり、Ｔｉを基材として表面にＰｔがコーティングされている。６１は電極５９、６０に電圧を印可する電源であり、電極５９、６０への通電により電極表面部に活性酸素が生成され、浴槽水に混入可能に構成されている。６２は電源を制御する電気分解制御手段である。
　【００６４】
　その他の構成は図４に示した実施例と同様であり、同一番号を付して詳細な説明を省略する。
　【００６５】
　以上の構成において、次に本実施例の作用、動作について説明する。循環浄化中の所定の時期に電気分解制御手段６２が動作し、電源６１が起動されて所定の電圧が電極５９、６０間に印可される。これにより浴槽水が電気分解され、活性酸素が生成されて浴槽水に混入されることとなる。この活性酸素には強い酸化力があり、浴槽水に含まれる微細な有機物および低級脂肪酸・乳酸・尿素などの臭気成分が徐々に酸化分解される。ここで電極５９、６０の基材としてＴｉを用いたので耐食性に優れ、またＰｔは溶融電圧が比較的高いのでコーティングすることにより長期使用に対する電極劣化を防止できる。なお、電気分解制御手段６２によって酸化分解に好適な所定時間経過後に自動的に電気分解が停止される。
　【００６６】
　なお、図１に示した実施例と同様に閉ループ循環回路を形成して高温殺菌可能である。
　【００６７】
　以上の本実施例によれば、以下の効果が得られる。
　（１）電極５９、６０への通電により活性酸素が生成され、浴槽水に含まれる臭気成分が酸化分解されるので臭気が抑制される。このため長期にわたって快適な入浴が行える。
　【００６８】
　（２）電極５９、６０の基材としてＴｉを用いたので耐食性に優れ、またＰｔは溶融電圧が比較的高いのでコーティングすることにより長期使用に対する電極劣化を防止できる。
　【００６９】
　【発明の効果】
　以上の説明から明らかなように、本発明によれば以下の効果が得られる。
　【００７０】
　（１）高温洗浄手段を設けることによって濾過手段を含む循環路に高温水を循環させて循環系の高温殺菌が可能となる。したがって循環路および濾過手段に繁殖する細菌類を高温殺菌洗浄できる。このことは特にレジオネラ肺炎の原因菌となるレジオネラ属菌の殺菌に効果的であり、安全性が向上する。
　【００７１】
　（２）給湯手段との一体化により殺菌用高温水の沸き上げに対してガス・石油燃焼など高カロリー熱源を用いることができるので高温殺菌用循環水の温度を急速に立上げることが可能となる。このため単位時間あたりの高温殺菌回数を増加させることができ、より効果的に高温殺菌できる。また給湯手段との一体化により浴槽の自動お湯張りおよび足し湯が可能となり、利便性が向上する。
　【００７２】
　（３）高温洗浄手段は、流路切換手段を制御してバイパス路を連通させることにより閉ループ循環回路を形成し、加熱手段によって高温水を循環させるものであるので、簡単な構成により浴槽内の水温を上昇させることなく細菌類が繁殖しやすい濾過手段を含む循環系を高温殺菌することができる。
　【００７３】
　（４）入浴時間を設定するタイマーを設けたので、入浴時間帯に高温殺菌動作されることがない。したがって入浴中に高温水が浴槽側に流入することが防止されるので安全性が向上する。また入浴時間帯以外は浴槽水の温度を下げることで連続保温を不要とし、ランニングコストを低減できるとともに高温保持による浴槽の劣化を防止できる。
　【００７４】
　（５）高温殺菌の温度を６０℃以上で所定時間行うので効果的に殺菌できる。特にレジオネラ属菌は６０℃以上の高温水を数分間循環させることによって効果的に殺菌することが可能であり、病原菌をより確実に殺菌できる。
　【００７５】
　（６）閉ループ循環回路内を高温殺菌した高温水を濾過手段の逆流洗浄に利用し廃棄するので、水の有効利用ができるとともに高温水で逆流洗浄するため濾過手段に堆積した懸濁物質が効率的に洗浄され、洗浄水量を低減できる。
　【００７６】
　（７）凝集手段を設けたので微生物の有機物分解作用を利用することなく物理的に濾過される。したがって被浄化水の温度を微生物生育温度に保持する必要がなく、高温殺菌に好適である。また凝集濾過方式を用いるので浄化速度が高まり、複数の人が続けて入浴した場合においても各々清浄度の高い浴槽水に入浴できることとなる。
　【００７７】
　（８）凝集手段を陽極と陰極および定電流電源から構成したので、凝集を電気的に行うことが可能となり、凝集のメンテナンスフリー化が実現できる。また凝集量の制御が容易となる。さらに陽極をイオン化傾向の高いアルミニウムで構成したので、アルミニウムイオンが容易に溶出し、水と反応して水酸化アルミニウムが生成され、効率的に凝集フロックが形成される。また陰極を比較的イオン化傾向の低いステンレスから構成したので、非通電時に陰極からのイオンの溶出がなく、また水中使用に際しても腐食されることがない。
　【００７８】
　（９）濾材に抗菌層を形成したので、浴槽水中に繁殖する細菌類の増殖を抑制でき、細菌増殖に起因する濁度の上昇および細菌の代謝物などに起因する臭気が抑制されることとなる。
　【００７９】
　（１０）濾材に抗菌層を形成する際に、分散剤としてアミノ酸金属石鹸を用いるので金属元素の凝集が防止されて金属元素が濾材表面に均一に分散担持される。また無機バインダによって金属元素と粒状濾材が強固に結合されるので、浄化時の金属元素の溶出を抑制することが可能となり、抗菌性能の耐久性が向上する。
　【００８０】
　（１１）紫外線照射手段を設けたので被浄化水に含まれる細菌を効果的に殺菌できる。特に高温殺菌および抗菌濾材との併用により、効果的に殺菌できるとともに紫外線照射時間を短縮できるので、殺菌灯の寿命を延ばすことができる。
　【００８１】
　（１２）オゾン混入手段を設けたので微細有機物および低級脂肪酸・乳酸・尿素などの臭気成分がオゾンによって酸化分解され浴槽水の臭気が抑制され、長期にわたって快適な入浴が行える。
　【００８２】
　（１３）循環路中に浴槽水を電気分解する電極を設けたので電気分解により活性酸素が生成され、浴槽水に含まれる臭気成分が酸化分解されるので臭気が抑制される。このため長期にわたって快適な入浴が行える。
【図面の簡単な説明】
　【図１】
　本発明の実施例１における水浄化装置の構成図
　【図２】
　同実施例１における抗菌濾材の拡大断面図
　【図３】
　同実施例１における浴槽と循環路の温度および逆流洗浄のタイミングを示すタイムチャート
　【図４】
　本発明の実施例２における水浄化装置の構成図
　【図５】
　本発明の実施例３における水浄化装置の要部構成図
　【図６】
　従来の水浄化装置の構成図
　【符号の説明】
　１４　循環手段
　１５　浴槽
　１６　往き管
　１７　戻り管
　１８　循環路
　１９　紫外線照射手段
　２０　濾過手段
　２１、２１ａ　加熱手段
　２３　流路切換手段
　２４　バイパス路
　２５　温度検知手段
　２６、５３　制御手段
　２７　タイマー
　２８　高温洗浄手段
　２９　逆洗路
　３０　排水路
　３１　陰極（筐体）
　３２　陽極
　３３　定電流電源
　３４　凝集手段
　３５　抗菌濾材
　３７　金属元素
　３８　無機バインダ
　３９　抗菌層
　４０　給湯手段
　４１　給湯端末
　４８　水浄化手段
　５４　オゾン混入手段
　５９、６０　電極
　６１　電源